(57)【要約】  【課題】ＭＥＲ監視装置や測定器を備えることなく信号品質値を求めることのできるＯＦＤＭ通信装置を提供する。  【解決手段】補償部７は、ＯＦＤＭ受信信号を復調処理してＯＦＤＭのサブキャリアを取得し、サブキャリアに補償処理を施す。信号品質演算部９は、補償部７での処理過程で得られるサブキャリアの中に含まれる基準のシンボルとその誤差との比を表す変調誤差比（ＭＥＲ）を信号品質値として算出する。補償部７の機能を利用してＭＥＲが算出される。補償部９は、サブキャリアにシンボル判定処理を施す判定部を備え、信号品質演算部は、シンボル判定前後のサブキャリアに基づいてＭＥＲを算出してよい。【選択図】  図１
2007325016.tif 000002
【特許請求の範囲】
【請求項１】
ＯＦＤＭ信号を復調処理してＯＦＤＭのサブキャリアを取得し、前記サブキャリアに補償処理を施す補償部と、
前記補償部での処理過程で得られる前記サブキャリアの中に含まれる基準のシンボルとその誤差との比を表す変調誤差比を信号品質値として算出する信号品質演算部と、
を備えたことを特徴とするＯＦＤＭ通信装置。
【請求項２】
ＯＦＤＭ信号を復調処理してＯＦＤＭのサブキャリアからＳＰ信号を元に補償処理を施す補償部と、
前記補償部での処理過程で得られる基準のシンボルとその誤差との比を表す変調誤差比を信号品質値として算出する信号品質演算部と、
を備えたことを特徴とするＯＦＤＭ通信装置。
【請求項３】
前記補償部は、前記サブキャリアにシンボル判定処理を施す判定部を備え、
前記信号品質演算部は、前記シンボル判定処理前のサブキャリアと前記シンボル判定処理後のサブキャリアに基づいて前記変調誤差比を算出することを特徴とする請求項１または２に記載のＯＦＤＭ通信装置。
【請求項４】
前記補償部は、伝送特性推定処理によって得られる情報に基づいて前記変調誤差比を算出することを特徴とする請求項１ないし３のいずれかに記載のＯＦＤＭ通信装置。
【請求項５】
前記変調誤差比が所定の異常条件を満足したか否かを判定する異常判定部を備えたことを特徴とする請求項１ないし４のいずれかに記載のＯＦＤＭ通信装置。
【請求項６】
前記異常判定部は、前記変調誤差比が所定の判定基準値を下回ったときに前記異常条件が満足されたと判定することを特徴とする請求項５に記載のＯＦＤＭ通信装置。
【請求項７】
前記異常判定部は、前記変調誤差比が所定の判定基準期間に渡って前記判定基準値を下回ったときに前記異常条件が満足されたと判定することを特徴とする請求項６に記載のＯＦＤＭ通信装置。
【請求項８】
前記異常判定部により異常が検出されたときに、前記補償部でのＯＦＤＭ信号の出力を停止する停止制御部を備えたことを特徴とする請求項５ないし７のいずれかに記載のＯＦＤＭ通信装置。
【請求項９】
前記異常判定部により異常が検出されたときにアラームを発生する報知手段を備えたことを特徴とする請求項４ないし７のいずれかに記載のＯＦＤＭ通信装置。
【請求項１０】
ＯＦＤＭ通信装置に備えられるＯＦＤＭ信号品質検知装置であって、
ＯＦＤＭ信号を復調処理してＯＦＤＭのサブキャリアを取得して前記サブキャリアに補償処理を施す補償部から、前記補償部の処理過程で得られる前記サブキャリアの中に含まれる基準のシンボルを取得し、前記補償部から取得した前記基準のシンボルとその誤差の比を表す変調誤差比を信号品質値として算出することを特徴とするＯＦＤＭ信号品質検知装置。
【請求項１１】
ＯＦＤＭ通信装置に備えられるＯＦＤＭ信号品質検知装置であって、
ＯＦＤＭ信号を復調処理してＯＦＤＭのサブキャリアからＳＰ信号を元に補償処理を施す補償部から、前記補償部の処理過程で得られる基準のシンボルを取得し、前記補償部から取得した前記基準のシンボルとその誤差の比を表す変調誤差比を信号品質値として算出することを特徴とするＯＦＤＭ信号品質検知装置。
【請求項１２】
ＯＦＤＭ通信装置にて信号品質を検知するＯＦＤＭ信号品質検知方法であって、
ＯＦＤＭ信号を復調処理してＯＦＤＭのサブキャリアを取得して前記サブキャリアに補償処理を施す過程で得られる前記サブキャリアの中に含まれる基準のシンボルを取得し、
前記取得した基準のシンボルとその誤差の比を表す変調誤差比を信号品質値として算出することを特徴とするＯＦＤＭ信号品質検知方法。
【請求項１３】
ＯＦＤＭ通信装置にて信号品質を検知するＯＦＤＭ信号品質検知方法であって、
ＯＦＤＭ信号を復調処理してＯＦＤＭのサブキャリアからＳＰ信号を元に補償処理を施す過程で基準のシンボルを取得し、
前記取得した基準のシンボルとその誤差の比を表す変調誤差比を信号品質値として算出することを特徴とするＯＦＤＭ信号品質検知方法。
【発明の詳細な説明】
【技術分野】
【０００１】
本発明は、信号品質検知機能を備えたＯＦＤＭ（Orthogonal Frequency Division Multiplexing：直交周波数分割多重）通信装置に関する。
【背景技術】
【０００２】
従来、ＯＦＤＭ通信は、高品質かつ高速な無線伝送技術として注目されており、地上波デジタル放送や無線ＬＡＮ等の分野で採用されている。従来のアナログ通信では受信レベル検知によって信号品質を確認していたが、ＯＦＤＭのようなデジタル通信においてはレベル検知だけでは信号品質を十分に確認することができない。そこで、ＯＦＤＭでは、信号品質値として変調誤差比（Moduration Error Rate：以下、ＭＥＲ）が使用される。ＭＥＲは、ＯＦＤＭの基準のシンボルと誤差との比を表す値である（例えば特許文献１参照）。
【０００３】
従来、ＭＥＲは、ＭＥＲ監視装置や、ＭＥＲを算出する専用測定器を用いて計測されていた。例えば、ＯＦＤＭ中継装置でＭＥＲを測定する場合、ＯＦＤＭ中継装置に測定器が接続される。そして、ＯＦＤＭ受信信号が測定器に入力されて、ＯＦＤＭ受信信号からＭＥＲが測定される（例えば特許文献２参照）。ここで、ＯＦＤＭ中継装置は、ＭＥＲ測定が求められる典型的なＯＦＤＭ通信装置である。
【特許文献１】特開２００５−２５２８２６号公報
【特許文献２】特開２００５−２４４９１８号公報
【発明の開示】
【発明が解決しようとする課題】
【０００４】
しかしながら、従来のＯＦＤＭ通信装置においては、ＭＥＲを測定するためには上述のようにＭＥＲ監視装置や測定器を備える必要があり、装置スペースが大きくなるという問題があった。
【０００５】
例えば、ＯＦＤＭ通信装置が地上波デジタル放送のＯＦＤＭ中継装置である場合に、従来のＭＥＲ測定器を付加すると装置規模が大きくなってしまう。地上波デジタル放送に多くの中継局が必要であることを考慮すると、各ＯＦＤＭ中継局の装置構成は極力簡素でコンパクトにすることが望まれる。
【０００６】
本発明は、従来の問題を解決するためになされたもので、その目的は、監視装置や測定器を備えることなく信号品質値を求めることのできるＯＦＤＭ通信装置を提供することにある。
【課題を解決するための手段】
【０００７】
本発明のＯＦＤＭ通信装置は、ＯＦＤＭ信号を復調処理してＯＦＤＭのサブキャリアを取得し、前記サブキャリアに補償処理を施す補償部と、前記補償部での処理過程で得られる前記サブキャリアの中に含まれる基準のシンボルとその誤差との比を表す変調誤差比（ＭＥＲ）を信号品質値として算出する信号品質演算部とを備えている。
【０００８】
この構成により、ＯＦＤＭ通信装置に備えられている補償部の機能を活用し、補償部で得られる基準のシンボルから信号品質値を算出できる。したがって、監視装置や測定器を備えることなく信号品質値を求められる。
【０００９】
本発明のＯＦＤＭ通信装置は、ＯＦＤＭ信号を復調処理してＯＦＤＭのサブキャリアからＳＰ信号を元に補償処理を施す補償部と、前記補償部での処理過程で得られる基準のシンボルとその誤差との比を表す変調誤差比を信号品質値として算出する信号品質演算部とを備えている。
【００１０】
この構成により、ＯＦＤＭ通信装置に備えられている補償部の機能を活用し、補償部で得られる基準のシンボルから信号品質値を算出できる。したがって、監視装置や測定器を備えることなく信号品質値を求められる。
【００１１】
また、本発明のＯＦＤＭ通信装置において、前記補償部は、前記サブキャリアにシンボル判定処理を施す判定部を備え、前記信号品質演算部は、前記シンボル判定処理前のサブキャリアと前記シンボル判定処理後のサブキャリアに基づいて前記変調誤差比を算出する。この構成により、補償部で得られる情報を活用して好適に変調誤差比を算出できる。
【００１２】
また、本発明のＯＦＤＭ通信装置において、前記補償部は、ＯＦＤＭ中継のための回り込みキャンセラーであり、前記信号品質演算部は、前記回り込みキャンセラーの伝送特性推定処理によって得られる情報に基づいて前記変調誤差比を算出する。この構成により、補償部の一例としての回り込みキャンセラーで得られる情報を活用して好適に変調誤差比を算出できる。
【００１３】
また、本発明のＯＦＤＭ通信装置は、前記変調誤差比が所定の異常条件を満足したか否かを判定する異常判定部を備えている。この構成により、信号品質異常を適切に検出できる。
【００１４】
また、本発明のＯＦＤＭ通信装置において、前記異常判定部は、前記変調誤差比が所定の判定基準値を下回ったときに前記異常条件が満足されたと判定する。この構成により、信号品質異常を適切に検出できる。
【００１５】
また、本発明のＯＦＤＭ通信装置において、前記異常判定部は、前記変調誤差比が所定の判定基準期間に渡って前記判定基準値を下回ったときに前記異常条件が満足されたと判定する。この構成により、信号品質異常を適切に検出できる。
【００１６】
また、本発明のＯＦＤＭ通信装置は、前記異常判定部により異常が検出されたときに、前記補償部でのＯＦＤＭ信号の出力を停止する停止制御部を備えている。この構成により、異常発生に適切に対処できる。
【００１７】
また、本発明のＯＦＤＭ通信装置は、前記異常判定部により異常が検出されたときにアラームを発生する報知手段を備えている。この構成により、異常発生に適切に対処できる。
【００１８】
本発明の別の態様は、ＯＦＤＭ通信装置に備えられるＯＦＤＭ信号品質検知装置であって、ＯＦＤＭ信号を復調処理してＯＦＤＭのサブキャリアを取得して前記サブキャリアに補償処理を施す補償部から、前記補償部の処理過程で得られる前記サブキャリアの中に含まれる基準のシンボルを取得し、前記補償部から取得した前記基準のシンボルとその誤差の比を表す変調誤差比を信号品質値として算出する。この態様によっても上述の本発明の利点が得られる。
【００１９】
また、本発明の別の態様は、ＯＦＤＭ通信装置に備えられるＯＦＤＭ信号品質検知装置であって、ＯＦＤＭ信号を復調処理してＯＦＤＭのサブキャリアからＳＰ信号を元に補償処理を施す補償部から、前記補償部の処理過程で得られる基準のシンボルを取得し、前記補償部から取得した前記基準のシンボルとその誤差の比を表す変調誤差比を信号品質値として算出する。この態様によっても上述の本発明の利点が得られる。
【００２０】
また、本発明の別の態様は、ＯＦＤＭ通信装置にて信号品質を検知するＯＦＤＭ信号品質検知方法であって、ＯＦＤＭ信号を復調処理してＯＦＤＭのサブキャリアを取得して前記サブキャリアに補償処理を施す過程で得られる前記サブキャリアの中に含まれる基準のシンボルを取得し、前記取得した前記基準のシンボルとその誤差の比を表す変調誤差比を信号品質値として算出する。この態様によっても上述の本発明の利点が得られる。
【００２１】
また、本発明の別の態様は、ＯＦＤＭ通信装置にて信号品質を検知するＯＦＤＭ信号品質検知方法であって、ＯＦＤＭ信号を復調処理してＯＦＤＭのサブキャリアからＳＰ信号を元に補償処理を施す過程で基準のシンボルを取得し、前記取得した基準のシンボルとその誤差の比を表す変調誤差比を信号品質値として算出する。この態様によっても上述の本発明の利点が得られる。
【発明の効果】
【００２２】
本発明は、ＯＦＤＭ通信装置に備えられている補償部の機能を活用し、補償部で得られる基準のシンボルから信号品質値を算出する構成を設けることにより、監視装置や測定器を備えることなく信号品質値を求めることができるという効果を有するＯＦＤＭ通信装置を提供できる。
【発明を実施するための最良の形態】
【００２３】
以下、本発明の実施の形態に係るＯＦＤＭ通信装置について、図面を用いて説明する。
【００２４】
本発明の第１の実施の形態に係るＯＦＤＭ通信装置を図１に示す。本実施の形態では、ＯＦＤＭ通信装置がＯＦＤＭ中継装置であり、より詳細には、マルチパス等化装置である。ＯＦＤＭ中継装置は例えば地上波デジタル放送に用いられる。
【００２５】
図１において、ＯＦＤＭ通信装置１は、ＯＦＤＭ受信部３、ＯＦＤＭ送信部５、補償部７および信号品質演算部９で構成されている。
【００２６】
ＯＦＤＭ受信部３は、アンテナ１１により受信されるＲＦ帯域の信号からＩＦ信号（中間周波数の信号）を生成する。ＩＦ信号は、補償部７または直通経路１３を経てＯＦＤＭ送信部５に供給される。補償部７は、ＩＦ信号に復調処理を施してＯＦＤＭのサブキャリアを取得し、サブキャリアに補償処理を施して信号品質を改善する回路である。ＯＦＤＭ送信部５は、ＩＦ信号からＲＦ帯域の信号を生成する。ＲＦ信号は送信電力増幅処理を受け、そしてアンテナ１５から送信される。
【００２７】
信号品質演算部９は、信号品質値として、基準の理想的なシンボルとその誤差との比を表す変調誤差比（ＭＥＲ）を算出する回路である。信号品質演算部９は、補償部７の処理過程で得られるサブキャリアの情報を取得し、取得した情報に基づいてＭＥＲを算出する。概略的には、信号品質演算部９は、補償部７からシンボル判定処理の前後のＯＦＤＭサブキャリアを取得し、それら情報を基にＭＥＲを算出する。算出処理の詳細は後述する。
【００２８】
上記のように、信号品質演算部９は、ＭＥＲの算出に必要な情報を補償部７から取得する。補償部７は、元々、受信信号の周波数特性を推定し、それを基に信号品質を改善する構成であるので、常に信号品質情報を監視している。このことを利用し、本実施の形態では、補償部７で推定された情報を基に信号品質が検知される。
【００２９】
信号品質演算部９は信号品質検知装置を構成しており、したがって本実施の形態では信号品質検知装置がＯＦＤＭ通信装置１に内蔵されているといえる。また、ＭＥＲは、補償部７の機能を利用して、補償部７にて得られる情報を使って算出されており、この観点では、補償部７も信号品質検知装置の一部を構成しているということもできる。
【００３０】
図２は、補償部７と信号品質演算部９をより詳細に示している。補償部７において、周波数変換部２１は、補償部７に入力されたＩＦ信号をアナログベースバンド信号に変換し、変換後のアナログ受信信号をＡ／Ｄ変換部２３に供給する。Ａ／Ｄ変換部２３は、アナログ受信信号をデジタル受信信号に変換する。直交復調部２５は、デジタル受信信号に直交復調処理を施して複素デジタル信号を生成する。ＦＦＴ部２７は、複素デジタル信号に高速フーリエ変換処理を施して、復調信号として、複素シンボルを含んだサブキャリアを取得する。同期部２９は、ＯＦＤＭ信号の有効シンボル区間の位置を検出し、検出により得られる窓位置情報をＦＦＴ部２７に渡す。ＦＦＴ部２７は、同期部２９から供給される窓位置情報に基づいて処理を行う。
【００３１】
推定部３１は、復調信号から伝送路特性を推定し、逆特性をかけることにより、復調信号を等化する構成である。推定部３１では、復調信号であるサブキャリアからＳＰ（スキャッタードパイロット）信号が抽出される。そして、等化部３２にて抽出されたＳＰ信号と既知のＳＰ信号とを利用して、等化処理が行われる。等化後の信号は、判定部３３および信号品質演算部９に供給される。
【００３２】
判定部３３は、推定部３１から供給されるサブキャリアに対して判定処理を行う構成である。判定処理では、ＯＦＤＭのシンボルがシンボル判定される。この処理は、硬判定といわれている。シンボル判定後の信号は、ＩＦＦＴ部３５および信号品質演算部９に供給される。
【００３３】
ＩＦＦＴ部３５は、判定部３３から出力されるサブキャリアに逆高速フーリエ変換処理を施す。直交変調部３７は、ＩＦＦＴ部３５の出力信号に対してＯＦＤＭ直交変調を行う。Ｄ／Ａ変換部３９は、直交変調部３７の出力信号を受けて、デジタル信号をアナログ信号に変換する。さらに、周波数変換部４１が、ベースバンドのアナログ信号をＩＦ信号に変換する。そして、ＩＦ信号が補償部７から図１のＯＦＤＭ送信部５に出力される。
【００３４】
信号品質演算部９は、補償部７の推定部３１から、等化後であってシンボル判定前の、誤差を含んだサブキャリアを取得する。また、信号品質演算部９は、補償部７の判定部３３から、シンボル判定後のサブキャリアを取得する。信号品質演算部９は、これら情報に基づき、誤差を含んだ振幅・位相情報と、シンボル判定された振幅・位相情報とを比較演算し、ＭＥＲを算出する。
【００３５】
ＭＥＲは、下記の式に従って算出される。受信シンボルの複素信号点ベクトルを
【数１】
2007325016.tif 000003
とする。ここで、ｋは、１１番目のセグメントキャリア０番を０とする全帯域連続なキャリア番号を示し、ｎはシンボル番号を示す。
【数２】
2007325016.tif 000004
を硬判定することにより得られる理想シンボル点を
【数３】
2007325016.tif 000005
とし、理想シンボル点に対する受信シンボルのベクトル誤差を
【数４】
2007325016.tif 000006
とすると、
【数５】
2007325016.tif 000007
の関係が得られる。上記より、ＭＥＲは次式で表すことができる。
【数６】
2007325016.tif 000008
ここで、Ｋは総キャリア数である。
【００３６】
図２は、さらに、システム制御部４３、モニタ４５および監視制御部４７を示している。信号品質演算部９は、算出したＭＥＲをシステム制御部４３に供給する。システム制御部４３は、ＯＦＤＭ通信装置１の全体を制御する構成である。システム制御部４３は、信号品質演算部９から入力されるＭＥＲをモニタ４５に表示する。また、システム制御部４３は、本発明の異常判定部として機能し、ＭＥＲが所定の異常条件を満たしたか否かを判定し、異常条件が満たされると信号品質異常が発生したと判断する。また、システム制御部４３は、ＯＦＤＭ信号の出力を停止する停止制御部として機能し、異常判定結果に応じて直交変調部３７を制御する。また、システム制御部４３は信号品質異常を監視制御部４７に通知する。監視制御部４７は、本発明の報知手段として機能し、異常判定により信号品質異常が検出されたときにアラームを発生する。アラームは、監視制御部４７から通信によって放送システムの監視センターに出力される。
【００３７】
以上にＯＦＤＭ通信装置１の各部構成について説明した。次に、ＯＦＤＭ通信装置１の動作を説明する。ＯＦＤＭ通信装置１の全体的な動作としては、ＯＦＤＭ受信部３が、アンテナ１１から受信されるＲＦ帯域の信号を処理してＩＦ信号を生成し、補償部７がＩＦ信号を処理して信号品質を改善し、ＯＦＤＭ送信部５がＩＦ信号からＲＦ帯域の信号を生成してアンテナ１５を介して送信する。
【００３８】
補償部７では、受信信号が復調されてサブキャリアが取得され、推定部３１および判定部３３の処理によって信号品質が改善され、それからサブキャリアが再び変調される。補償部７の推定部３１等の構成で得られる情報が、以下のように、ＭＥＲ計算に利用される。
【００３９】
図３は、信号品質演算部９およびシステム制御部４３の動作を示している。信号品質演算部９は、補償部７の推定部３１から、等化後であってシンボル判定前のサブキャリアを取得する（Ｓ１）。また、信号品質演算部９は、補償部７の判定部３３から、シンボル判定後のサブキャリアを取得する（Ｓ３）。信号品質演算部９は、これら情報に基づき、誤差を含んだ振幅・位相情報と、シンボル判定された振幅・位相情報とを比較演算し、ＭＥＲを算出する（Ｓ５）。算出式は前述の通りである。算出されたＭＥＲは、システム制御部４３に供給される。
【００４０】
システム制御部４３は、ＭＥＲをモニタ４５に表示する（Ｓ７）。また、システム制御部４３は、下記の処理によって信号品質異常の有無を判定する。システム制御部４３は、予め任意に設定された所定の判定基準値を記憶している。判定基準値は、信号品質が劣化するほどＭＥＲが小さくなる特性に基づて、品質異常状態と品質正常状態の間のＭＥＲ値に設定されている。システム制御部４３は、算出されたＭＥＲと判定基準値と比較し、ＭＥＲが判定基準値未満か否かを判定する（Ｓ９）。
【００４１】
ＭＥＲが判定基準値以上であれば（Ｓ９、Ｎｏ）、システム制御部４３は信号品質異常が発生していないと判定する（Ｓ１１）。ＭＥＲが判定基準値未満であれば（Ｓ９、Ｙｅｓ）、システム制御部４３は、所定の判定基準期間（秒）に渡って継続的にＭＥＲが判定基準値未満であるか否かを判定する（Ｓ１３）。判定基準期間も予め任意に設定されて、システム制御部４３に記憶されている。判定基準期間は、瞬間的なMER低下を無視することによって信号品質異常を確実に検出できる長さに設定されている。ステップＳ１３の判定がＮｏであれば、システム制御部４３は、信号品質異常が発生していないと判定する（Ｓ１１）。
【００４２】
ステップＳ１３の判定がＹｅｓであれば、システム制御部４３は、信号品質異常が発生したと判定する（Ｓ１５）。このように、本実施の形態では、異常判定の条件は、判定基準期間に渡ってＭＥＲが判定基準値を下回ることである。異常条件は、ステップＳ９、Ｓ１３の判定がＹｅｓのときに満たされる。
【００４３】
システム制御部４３は、信号品質異常が発生したと判定すると、直交変調部３７を制御して、ＯＦＤＭ信号の出力を停止させる（Ｓ１７）。さらに、システム制御部４３は、信号品質異常の情報を監視制御部４７に出力する（Ｓ１９）。システム制御部４３からの通知に応えて、監視制御部４７が、信号品質異常のアラーム信号を出力する。
【００４４】
以上に本発明の第１の実施の形態に係るＯＦＤＭ通信装置１について説明した。本実施の形態によれば、ＯＦＤＭ通信装置１は、補償部７の機能を活用し、補償部７で得られる情報から、信号品質値としてのＭＥＲを算出する。したがって、監視装置や測定器を備えることなく信号品質値を求めることができる。
【００４５】
上記のように、本実施の形態は、ＯＦＤＭ通信装置１に元から備わっている機能を活用して、簡単な構成でＭＥＲを算出している。ＭＥＲ監視装置や専用測定器と比較すると、本実施の形態のＭＥＲ測定機能は簡易的であるが十分に有用である。
【００４６】
また、本実施の形態では、ＯＦＤＭ通信装置１が、地上波デジタル放送の中継装置である。本実施の形態の採用により、中継局設備が簡素になり、局スペースも節約される。地上波デジタル放送には多くの中継装置が必要であるので本実施の形態は有利である。
【００４７】
また、本実施の形態によれば、補償部７は、サブキャリアにシンボル判定処理を施す判定部３３を備え、信号品質演算部９は、シンボル判定処理前のサブキャリアとシンボル判定処理後のサブキャリアに基づいてＭＥＲを算出する。これにより、補償部７で得られる情報を活用して好適にＭＥＲを算出できる。
【００４８】
また、本実施の形態によれば、システム制御部４３が異常判定部として機能し、ＭＥＲが所定の異常条件を満足したか否かを判定する。より詳細には、システム制御部４３は、ＭＥＲが所定の判定基準値を下回ったときに異常条件が満足されたと判定する。さらに詳しくは、システム制御部４３は、ＭＥＲが所定の判定基準期間に渡って判定基準値を下回ったときに異常条件が満足されたと判定する。これにより、信号品質異常を適切に検出できる。
【００４９】
また、本実施の形態によれば、ＯＦＤＭ通信装置１は、異常判定により異常が検出されたときに、補償部でのＯＦＤＭ信号の出力を停止する。上記の例では、システム制御部４３が停止制御部として機能する。これにより、異常発生に適切に対処できる。
【００５０】
また、本実施の形態によれば、ＯＦＤＭ通信装置１は、異常判定により異常が検出されたときにアラームを発生する。アラームは、報知手段として機能する監視制御部４７から出力される。これにより、異常発生に適切に対処できる。周囲条件や環境の変化によって信号品質劣化が発生したときに、アラームを出力することができ、放送事故を回避することができる。
【００５１】
なお、本実施の形態では、ＯＦＤＭ通信装置が、ＯＦＤＭ中継装置であった。しかし、本発明の範囲内で、ＯＦＤＭ通信装置はＯＦＤＭ中継装置に限定されず、例えば、ＯＦＤＭ通信装置がＯＦＤＭ受信装置またはＯＦＤＭ送受信装置であってもよい。
【００５２】
次に、本発明の第２の実施の形態に係るＯＦＤＭ通信装置について説明する。以下の説明において、上述の実施の形態と共通する事項の説明は省略する。
【００５３】
本実施の形態では、ＯＦＤＭ通信装置が、ＯＦＤＭダイバーシティ受信装置を有する中継装置である。ＯＦＤＭダイバーシティ受信装置を有する中継装置は、複数のブランチを受信部に有している。そして、受信部の複数のブランチに応じて、補償部も、受信信号を処理するために複数のブランチを有している。
【００５４】
図４は、本実施の形態に係るＯＦＤＭ通信装置における補償部５１および信号品質演算部５３を示している。補償部５１は複数のブランチａ、ｂを有している。各ブランチａ、ｂが、第１の実施の形態の補償部７と同様に、周波数変換部２１、Ａ／Ｄ変換部２３、直交復調部２５、ＦＦＴ部２７、推定部３１を有している。両ブランチａ、ｂの推定部３１は、等化処理を行いつつ復調信号を合成部５５に出力する。合成部５５は、両ブランチａ、ｂからの復調信号に対してダイバーシティの合成処理を施して、合成された復調信号を、判定部３３および信号品質演算部５３に出力する。
【００５５】
したがって、信号品質演算部５３は、合成後のサブキャリアを、等化後のサブキャリアとして取得し、処理する。信号品質演算部５３は、第１の実施の形態と同様に、判定部３３からシンボル判定後のサブキャリアも受け取る。そして、信号品質演算部５３は、これらの情報を基にＭＥＲを算出する。ＭＥＲの算出処理およびその後のシステム制御部４３等の処理は、第１の実施の形態と同様である。
【００５６】
以上に本発明の第２の実施の形態に係るＯＦＤＭ通信装置について説明した。上述のように、本発明は、ＯＦＤＭ通信装置がダイバーシティ通信装置である場合にも適用できる。そして、第１の実施の形態と同様に、監視装置や測定器を備えることなく、ＯＦＤＭ通信装置にて信号品質値を求めることができる。
【００５７】
次に、本発明の第３の実施の形態に係るＯＦＤＭ通信装置について説明する。以下の説明において、上述の実施の形態と共通する事項の説明は省略する。
【００５８】
本実施の形態では、補償部が、ＯＦＤＭ中継のための回り込みキャンセラーである。回り込みキャンセラーは、周知のように、送信アンテナから放射された電波が受信アンテナに回り込むがその回り込みをキャンセルするものである。回り込みキャンセラーは、受信信号から回り込みの伝送路特性を推定し、回り込み波のレプリカを作成して、受信信号からレプリカを減じ、これにより回り込み波を打ち消す。回り込みキャンセラーは、ＦＩＲフィルタを含むフィードバックループで構成されており、ＦＩＲフィルタの係数が推定結果に応じて制御されて、相殺用のレプリカが作成される。
【００５９】
図５は、本実施の形態に係るＯＦＤＭ通信装置における補償部６１および信号品質演算部６３を示している。図５において、周波数変換部２１、Ａ／Ｄ変換部２３、直交復調部２５、直交変調部３７、Ｄ／Ａ変換部３９および周波数変換部４１は、第１の実施の形態にて同様の参照符合が付けられた構成要素と同様である。
【００６０】
回り込みキャンセラーを実現するフィードバックループは、直交復調部２５と直交変調部３７の間に配置されている。図５において、ＦＦＴ部６５は、同期部６７から供給される窓位置情報に基づいて、受信信号に高速フーリエ変換処理を施してサブキャリアを生成する。伝送路特性推定部６９は、ＦＦＴ部６５の出力信号を処理して、回り込み波をキャンセルするために伝送路特性を推定する。回り込み残差検出部７１は、伝送路特性推定部６９の推定情報を基に回り込み残差を検出する。ＩＦＦＴ部７３は、回り込み残差の情報に逆高速フーリエ変換処理を施す。係数更新部７５は、ＩＦＦＴ部７３を経た情報を基にＦＩＲフィルタ７７の係数を更新する処理を行う。ＦＩＲフィルタ７７は、逐次更新される係数に従って、受信信号にフィルタ処理を施し、回り込み波のレプリカを生成する。加算器７９は、直交復調部２５の出力信号からレプリカの信号を減算し、これにより回り込み波成分を相殺する。加算器７９の処理を経た受信信号が、直交変調部３７に入力される。
【００６１】
本実施の形態では、信号品質演算部６３は、伝送路特性推定部６９から、ＭＥＲ計算に必要な情報を取得する。伝送路特定推定部６９は伝送路特性の推定処理を行う構成であり、その処理過程で、第１の実施の形態と同様にＭＥＲ計算に必要な信号情報を生成し信号品質演算部６３に供給することができる。信号品質演算部６３は、伝送路特性推定部６９から得られる情報を基に、第１の実施の形態にて説明された計算式に従って、ＭＥＲを算出する。ＭＥＲ算出後のシステム制御部４３等の処理は、第１の実施の形態と同様である。
【００６２】
以上に本発明の第３の実施の形態に係るＯＦＤＭ通信装置について説明した。本実施の形態では、補償部６１がＯＦＤＭ中継のための回り込みキャンセラーであり、信号品質演算部６３は、回り込みキャンセラーの伝送特性推定処理によって得られる情報に基づいてＭＥＲを算出する。このように、補償部６１が回り込みキャンセラーである場合にも、補償部６１の機能を活用して、別個のＭＥＲ監視装置や測定器を設けずとも、簡単な構成でＭＥＲを測定することができる。
【００６３】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６４】
以上のように、本発明は、ＯＦＤＭ通信装置に備えられている補償部の機能を活用し、補償部で得られる情報から信号品質値を算出することにより、監視装置や測定器を備えることなく信号品質値を求められるという効果を有し、ＯＦＤＭ中継装置等として有用である。
【図面の簡単な説明】
【００６５】
【図１】本発明の第１の実施の形態におけるＯＦＤＭ通信装置を示す図
【図２】第１の実施の形態におけるＯＦＤＭ通信装置の補償部および信号品質演算部を示す図
【図３】本発明の第１の実施の形態におけるＯＦＤＭ通信装置の動作を示すフロー図
【図４】第２の実施の形態におけるＯＦＤＭ通信装置の補償部および信号品質演算部を示す図
【図５】第３の実施の形態におけるＯＦＤＭ通信装置の補償部および信号品質演算部を示す図
【符号の説明】
【００６６】
１  ＯＦＤＭ通信装置
３  ＯＦＤＭ受信部
５  ＯＦＤＭ送信部
７  補償部
９  信号品質演算部
２１  周波数変換部
２３  Ａ／Ｄ変換部
２５  直交復調部
２７  ＦＦＴ部
２９  同期部
３１  推定部
３３  判定部
３５  ＩＦＦＴ部
３７  直交変調部
３９  Ｄ／Ａ変換部
４１  周波数変換部
４３  システム制御部
４５  モニタ
４７  監視制御部
【図１】
2007325016.tif 000009
【図２】
2007325016.tif 000010
【図３】
2007325016.tif 000011
【図４】
2007325016.tif 000012
【図５】
2007325016.tif 000013